(57)【要約】【課題】  ネットワーク上に格納したブックマークリストを参照したウェブコンテンツの閲覧操作を少ない操作で容易に行うことができる設備ブラウザシステムを提供する。【解決手段】  クライアント端末３は、ＵＲＬを登録するためのブックマーク登録用コンテンツをセンターサーバ６から取得して、任意のＵＲＬをブックマーク登録用コンテンツに設定し、センターサーバ６は、ブックマーク登録用コンテンツに設定されたＵＲＬをブックマークリストに登録して、ブックマークリストに登録されたＵＲＬのうちいずれかのＵＲＬを遷移先とするジャンプ先登録コンテンツを生成し、表示器２では、押ボタンＢ１を押下されることで、ウェブブラウザ２ｇが、センターサーバ６からジャンプ先登録コンテンツを取得し、当該取得したジャンプ先登録コンテンツから前記遷移先のＵＲＬのウェブコンテンツに遷移して、当該遷移先のウェブコンテンツを表示画面２ｅに表示する。【選択図】図１
2010097498.tif 000002
【特許請求の範囲】
【請求項１】
ネットワーク経由でウェブコンテンツを提供するセンターサーバと、
ウェブコンテンツを表示する表示画面、オン・オフ操作を行う画面遷移操作手段、ウェブブラウザ手段を備えて、ウェブブラウザ手段がネットワーク経由でセンターサーバから取得したウェブコンテンツを表示画面に表示する１乃至複数の表示器と、
ネットワーク経由でセンターサーバにアクセスして、ウェブコンテンツを取得するクライアント端末と
を備える設備ブラウザシステムにおいて、
クライアント端末は、ＵＲＬを登録するための第１のウェブコンテンツをセンターサーバから取得して、任意のＵＲＬを第１のウェブコンテンツに設定し、
センターサーバは、第１のウェブコンテンツに設定されたＵＲＬをブックマークリストに登録して、当該ブックマークリストに登録されたＵＲＬのうちいずれかのＵＲＬを遷移先とする第２のウェブコンテンツを生成し、
表示器では、画面遷移操作手段をオン・オフされることで、ウェブブラウザ手段が、センターサーバから第２のウェブコンテンツを取得し、当該取得した第２のウェブコンテンツから前記遷移先のＵＲＬのウェブコンテンツに遷移して、当該遷移先のウェブコンテンツを表示画面に表示する
ことを特徴とする設備ブラウザシステム。
【請求項２】
前記ブックマークリストは、複数のＵＲＬを所定の表示順番で登録しており、
前記表示器では、前記画面遷移操作手段をオン・オフされることで、表示画面に表示中のウェブコンテンツのＵＲＬを示す表示中ＵＲＬ情報を付加した第２のウェブコンテンツ取得要求を前記センターサーバへ送信し、
センターサーバは、第２のウェブコンテンツ取得要求を受け取ると、当該取得要求に付加された表示中ＵＲＬ情報のＵＲＬが前記ブックマークリストに登録されている場合、ブックマークリスト内で表示中ＵＲＬ情報のＵＲＬに次に登録されているＵＲＬを遷移先とする第２のウェブコンテンツを生成し、当該取得要求に付加された表示中ＵＲＬ情報のＵＲＬが前記ブックマークリストに登録されていない場合、ブックマークリスト内の予め定められたＵＲＬを遷移先とする第２のウェブコンテンツを生成し、生成した第２のウェブコンテンツを表示器へ送信する
ことを特徴とする請求項１記載の設備ブラウザシステム。
【請求項３】
前記表示器は、固有の識別情報を保持して、自己の識別情報を第２のウェブコンテンツ取得要求に付加し、
前記センターサーバは、前記ブックマークリストに登録されているＵＲＬの表示順番を識別情報毎に設定しており、第２のウェブコンテンツ取得要求を受け取ると、当該取得要求に付加された表示中ＵＲＬ情報のＵＲＬが前記ブックマークリストに登録されている場合、ブックマークリスト内で、当該取得要求に付加された識別情報に対応する表示順番で表示中ＵＲＬ情報のＵＲＬの次に登録されているＵＲＬを遷移先とする第２のウェブコンテンツを生成する
ことを特徴とする請求項２記載の設備ブラウザシステム。
【請求項４】
前記ブックマークリストは、複数のＵＲＬを所定の表示順番で登録しており、
前記表示器は、固有の識別情報を保持しており、前記画面遷移操作手段をオン・オフされることで、自己の識別情報を付加した第２のウェブコンテンツ取得要求を前記センターサーバへ送信し、
センターサーバは、各表示器でサイクリック表示中のウェブコンテンツのＵＲＬを示すサイクリック操作中ＵＲＬ情報を識別情報毎に設定しており、第２のウェブコンテンツ取得要求を受け取ると、当該取得要求に付加された識別情報に対応するサイクリック操作中ＵＲＬ情報が設定されていない場合、ブックマークリストの先頭に登録されているＵＲＬを遷移先とする第２のウェブコンテンツを生成するとともに、当該遷移先のＵＲＬをサイクリック操作中ＵＲＬ情報に設定し、当該取得要求に付加された識別情報に対応するサイクリック操作中ＵＲＬ情報が設定されている場合、ブックマークリスト内で、当該設定されているサイクリック操作中ＵＲＬ情報のＵＲＬの次に登録されているＵＲＬを遷移先とする第２のウェブコンテンツを生成するとともに、当該遷移先のＵＲＬをサイクリック操作中ＵＲＬ情報に設定し、生成した第２のウェブコンテンツを表示器へ送信する
ことを特徴とする請求項１記載の設備ブラウザシステム。
【請求項５】
前記表示器においてサイクリック操作の終了操作が為された場合、表示器は、自己の識別情報を付加したサイクリック操作終了通知をセンターサーバへ送信し、
センターサーバは、サイクリック操作終了通知を受け取ると、当該サイクリック操作終了通知に付加された識別情報に対応するサイクリック操作中ＵＲＬ情報を設定無しとする
ことを特徴とする請求項４記載の設備ブラウザシステム。
【請求項６】
前記表示順番は、ブックマークリスト内の各ＵＲＬが遷移先となる優先度を示すことを特徴とする請求項２乃至５いずれか記載の設備ブラウザシステム。
【請求項７】
前記表示器は、ブックマーク登録操作手段を備えて、ブックマーク登録操作手段を操作されることで、表示画面に表示中のウェブコンテンツのＵＲＬを含むブックマーク登録要求を前記センターサーバへ送信し、
センターサーバは、ブックマーク登録要求を受け取ると、当該ブックマーク登録要求に含まれるＵＲＬをブックマークリストに登録する
ことを特徴とする請求項１乃至３いずれか記載の設備ブラウザシステム。
【請求項８】
前記表示器は、前記ウェブブラウザ手段が表示画面に表示するウェブコンテンツを遷移させる毎に、遷移先のウェブコンテンツのＵＲＬを含む画面遷移通知を前記センターサーバへ送信し、
センターサーバは、画面遷移通知を受け取ると、画面遷移通知に含まれるＵＲＬ毎に画面遷移通知を受け取った回数をカウントし、カウント値が所定値を超えたＵＲＬをブックマークリストに登録する
ことを特徴とする請求項１乃至３いずれか記載の設備ブラウザシステム。
【発明の詳細な説明】
【技術分野】
【０００１】
本発明は、ウェブコンテンツを表示する設備ブラウザシステムに関するものである。
【背景技術】
【０００２】
インターネット情報としてウェブコンテンツを取得して表示する手段は、技術的にはウェブブラウザを搭載した端末で実現可能であり、パーソナルコンピュータや携帯電話等で行うことができる。
【０００３】
インターネット上の特定のウェブコンテンツのＵＲＬ（Uniform Resource Locator）を登録しておくブックマーク機能は多くのウェブブラウザにとって標準的な機能である。例えば、パーソナルコンピュータのウェブブラウザであれば、メニュー領域に配置されている「お気に入り」や「ブックマーク」等のアイコンをクリックすることで、ブックマークに登録したＵＲＬ（または当該ＵＲＬに対応するウェブコンテンツの名称）のリストが表示される。携帯電話の場合も、複数種類のボタンを複数回操作することによって、ブックマークリストを表示することができる。
【０００４】
また、よく使用するＵＲＬを登録したブックマークリストをインターネット上のサーバに保管し、インターネットに接続した端末からブックマークリストを参照することができるソーシャルブックマークというサービスがある。ウェブブラウザ上で登録されたブックマークは、そのウェブブラウザを搭載した端末のみで参照することができるが、ソーシャルブックマークでは、インターネットに接続した端末であれば参照できる。このソーシャルブックマークは、単に個人のブックマークリストをインターネット上に配置するだけでなく、ブックマークリストを複数のユーザで共有し、各ウェブコンテンツの人気度、コメント等を付加していくことに主眼を置いたサービスとなっている。
【０００５】
近年、上記のように利用されているインターネットに接続する住宅向け設備システムがあり、住宅に配置された表示器（コントロールパネル）や、照明器具や空調器具等の設備機器を宅内ネットワークに接続し、この宅内ネットワークをゲートウェイを介してインターネットに接続している。そして、宅内の表示器にはウェブブラウザを搭載しており、各設備機器の制御画面や監視画面を表示するだけでなく、インターネット上のサーバにアクセスして、ウェブコンテンツを取得して表示することもできる（例えば、特許文献１参照）。
【特許文献１】特開２００２−２０７７７３号公報
【発明の開示】
【発明が解決しようとする課題】
【０００６】
しかしながら、ソーシャルブックマークでは、このソーシャルブックマークのサイトにアクセスする必要があり、このようなサービスの利用は、インターネットと普段接していない高齢者や子供等にとっては、キーボードやマウスの操作、携帯電話の数多いボタン操作が難しいものであった。
【０００７】
また、住宅向け設備システムの表示器は、通常、操作開始ボタン、操作終了ボタン等の数少ないボタンを操作手段として具備しているが、パーソナルコンピュータのようにキーボードやマウスを具備しておらず、携帯電話のように多くの操作ボタンを具備しているものでもない。したがって、表示器でインターネット上のブックマークリストを参照して各種のウェブコンテンツを閲覧しようとしても、サーバへのアクセス操作や、ブックマークから所望のＵＲＬを選択して、当該ＵＲＬのウェブコンテンツへ遷移する操作が、少ない数の操作ボタンでは困難であった。
【０００８】
さらに、住宅向け設備システムの表示器は、壁掛けタイプであり、キーボードやマウスの接続は不便であり、手書き文字認識機能による入力手段を備えたとしても、入力に時間がかかり、立った状態での閲覧操作をユーザに強いることになる。
【０００９】
本発明は、上記事由に鑑みてなされたものであり、その目的は、ネットワーク上に格納したブックマークリストを参照したウェブコンテンツの閲覧操作を少ない操作で容易に行うことができる設備ブラウザシステムを提供することにある。
【課題を解決するための手段】
【００１０】
請求項１の発明は、ネットワーク経由でウェブコンテンツを提供するセンターサーバと、ウェブコンテンツを表示する表示画面、オン・オフ操作を行う画面遷移操作手段、ウェブブラウザ手段を備えて、ウェブブラウザ手段がネットワーク経由でセンターサーバから取得したウェブコンテンツを表示画面に表示する１乃至複数の表示器と、ネットワーク経由でセンターサーバにアクセスして、ウェブコンテンツを取得するクライアント端末とを備える設備ブラウザシステムにおいて、クライアント端末は、ＵＲＬを登録するための第１のウェブコンテンツをセンターサーバから取得して、任意のＵＲＬを第１のウェブコンテンツに設定し、センターサーバは、第１のウェブコンテンツに設定されたＵＲＬをブックマークリストに登録して、当該ブックマークリストに登録されたＵＲＬのうちいずれかのＵＲＬを遷移先とする第２のウェブコンテンツを生成し、表示器では、画面遷移操作手段をオン・オフされることで、ウェブブラウザ手段が、センターサーバから第２のウェブコンテンツを取得し、当該取得した第２のウェブコンテンツから前記遷移先のＵＲＬのウェブコンテンツに遷移して、当該遷移先のウェブコンテンツを表示画面に表示することを特徴とする。
【００１１】
この発明によれば、表示器の画面遷移操作手段をオン・オフするだけで、センターサーバに格納しているブックマーク内のＵＲＬのウェブコンテンツに画面遷移することができるので、キーボードやマウスを備えていない表示器であっても、ユーザに複雑な操作を強いることなく、所望のウェブコンテンツの画面に遷移することができる。また、複数の表示器を設けた場合でも、共通のブックマークを用いることができる。さらに、クライアント端末によってセンターサーバのブックマークリスト内のＵＲＬを追加、削除すれば、住宅内の全ての表示器が参照するブックマークリストを一括変更でき、各表示器が個別にブックマークリストを変更する手間を省くことができる。すなわち、ネットワーク上に格納したブックマークリストを参照したウェブコンテンツの閲覧操作を少ない操作で容易に行うことができるのである。
【００１２】
請求項２の発明は、請求項１において、前記ブックマークリストは、複数のＵＲＬを所定の表示順番で登録しており、前記表示器では、前記画面遷移操作手段をオン・オフされることで、表示画面に表示中のウェブコンテンツのＵＲＬを示す表示中ＵＲＬ情報を付加した第２のウェブコンテンツ取得要求を前記センターサーバへ送信し、センターサーバは、第２のウェブコンテンツ取得要求を受け取ると、当該取得要求に付加された表示中ＵＲＬ情報のＵＲＬが前記ブックマークリストに登録されている場合、ブックマークリスト内で表示中ＵＲＬ情報のＵＲＬに次に登録されているＵＲＬを遷移先とする第２のウェブコンテンツを生成し、当該取得要求に付加された表示中ＵＲＬ情報のＵＲＬが前記ブックマークリストに登録されていない場合、ブックマークリスト内の予め定められたＵＲＬを遷移先とする第２のウェブコンテンツを生成し、生成した第２のウェブコンテンツを表示器へ送信することを特徴とする。
【００１３】
この発明によれば、画面遷移操作手段を連続してオン・オフ操作すれば、ブックマークリストの表示順番にしたがって次々と画面遷移し、ネットワーク上に格納したブックマークリストを参照したウェブコンテンツの閲覧操作を少ない操作で容易に行うことができる。
【００１４】
請求項３の発明は、請求項２において、前記表示器は、固有の識別情報を保持して、自己の識別情報を第２のウェブコンテンツ取得要求に付加し、前記センターサーバは、前記ブックマークリストに登録されているＵＲＬの表示順番を識別情報毎に設定しており、第２のウェブコンテンツ取得要求を受け取ると、当該取得要求に付加された表示中ＵＲＬ情報のＵＲＬが前記ブックマークリストに登録されている場合、ブックマークリスト内で、当該取得要求に付加された識別情報に対応する表示順番で表示中ＵＲＬ情報のＵＲＬの次に登録されているＵＲＬを遷移先とする第２のウェブコンテンツを生成することを特徴とする。
【００１５】
この発明によれば、表示器毎にブックマークリスト内のＵＲＬの表示順番を独立して設定できるので、例えば、家族の父、母、姉、弟が、互いに異なる表示器を使用すれば、各人の好みに応じた表示順番を設定でき、画面遷移の回数が減って使い勝手が向上する。さらに、複数の表示器を同時に操作しても、表示器毎の表示順番に応じたウェブコンテンツを各表示器に表示できる。
【００１６】
請求項４の発明は、請求項１において、前記ブックマークリストは、複数のＵＲＬを所定の表示順番で登録しており、前記表示器は、固有の識別情報を保持しており、前記画面遷移操作手段をオン・オフされることで、自己の識別情報を付加した第２のウェブコンテンツ取得要求を前記センターサーバへ送信し、センターサーバは、各表示器でサイクリック表示中のウェブコンテンツのＵＲＬを示すサイクリック操作中ＵＲＬ情報を識別情報毎に設定しており、第２のウェブコンテンツ取得要求を受け取ると、当該取得要求に付加された識別情報に対応するサイクリック操作中ＵＲＬ情報が設定されていない場合、ブックマークリストの先頭に登録されているＵＲＬを遷移先とする第２のウェブコンテンツを生成するとともに、当該遷移先のＵＲＬをサイクリック操作中ＵＲＬ情報に設定し、当該取得要求に付加された識別情報に対応するサイクリック操作中ＵＲＬ情報が設定されている場合、ブックマークリスト内で、当該設定されているサイクリック操作中ＵＲＬ情報のＵＲＬの次に登録されているＵＲＬを遷移先とする第２のウェブコンテンツを生成するとともに、当該遷移先のＵＲＬをサイクリック操作中ＵＲＬ情報に設定し、生成した第２のウェブコンテンツを表示器へ送信することを特徴とする。
【００１７】
この発明によれば、画面遷移操作手段を連続してオン・オフ操作すれば、ブックマークリストの表示順番にしたがって次々と画面遷移し、ネットワーク上に格納したブックマークリストを参照したウェブコンテンツの閲覧操作を少ない操作で容易に行うことができる。さらに、サイクリック操作をしていない時に、画面遷移操作手段をオン・オフすると、必ずブックマークリストの中で先頭のウェブコンテンツを表示するので、ユーザにとってわかりやすく、操作に混乱を招くことがない。
【００１８】
請求項５の発明は、請求項４において、前記表示器においてサイクリック操作の終了操作が為された場合、表示器は、自己の識別情報を付加したサイクリック操作終了通知をセンターサーバへ送信し、センターサーバは、サイクリック操作終了通知を受け取ると、当該サイクリック操作終了通知に付加された識別情報に対応するサイクリック操作中ＵＲＬ情報を設定無しとすることを特徴とする。
【００１９】
この発明によれば、表示器におけるサイクリック操作の終了がセンターサーバ側で認識でき、サイクリック操作の終了を認識したセンターサーバは、表示器のサイクリック操作中ＵＲＬ情報を「設定無し」に変更し、表示器において、再び画面遷移操作手段がオン・オフされた場合に、改めてブックマークリストの中で先頭のウェブコンテンツから表示させるようにしている。したがって、表示器の次の操作時に、数時間、数日前に行ったサイクリック操作の続きから画面表示することなく、ユーザが混乱することを防止できる。
【００２０】
請求項６の発明は、請求項２乃至５いずれかにおいて、前記表示順番は、ブックマークリスト内の各ＵＲＬが遷移先となる優先度を示すことを特徴とする。
【００２１】
この発明によれば、画面遷移操作手段を連続してオン・オフ操作すれば、ブックマークリストの優先度の順に次々と画面遷移することができる。
【００２２】
請求項７の発明は、請求項１乃至３いずれかにおいて、前記表示器は、ブックマーク登録操作手段を備えて、ブックマーク登録操作手段を操作されることで、表示画面に表示中のウェブコンテンツのＵＲＬを含むブックマーク登録要求を前記センターサーバへ送信し、センターサーバは、ブックマーク登録要求を受け取ると、当該ブックマーク登録要求に含まれるＵＲＬをブックマークリストに登録することを特徴とする。
【００２３】
この発明によれば、クライアント端末を用いることなく、表示器でもブックマーク登録を行うことができ、システムの使い勝手が向上している。また、表示器によってセンターサーバのブックマークリスト内のＵＲＬを追加、削除しても、住宅内の全ての表示器が参照するブックマークリストを一括変更でき、各表示器が個別にブックマークリストを変更する手間を省くことができる。
【００２４】
請求項８の発明は、請求項１乃至３いずれかにおいて、前記表示器は、前記ウェブブラウザ手段が表示画面に表示するウェブコンテンツを遷移させる毎に、遷移先のウェブコンテンツのＵＲＬを含む画面遷移通知を前記センターサーバへ送信し、センターサーバは、画面遷移通知を受け取ると、画面遷移通知に含まれるＵＲＬ毎に画面遷移通知を受け取った回数をカウントし、カウント値が所定値を超えたＵＲＬをブックマークリストに登録することを特徴とする。
【００２５】
この発明によれば、クライアント端末を用いることなく、表示器でもブックマーク登録を行うことができ、システムの使い勝手が向上している。また、表示器によってセンターサーバのブックマークリスト内のＵＲＬを追加、削除しても、住宅内の全ての表示器が参照するブックマークリストを一括変更でき、各表示器が個別にブックマークリストを変更する手間を省くことができる。さらには、よく閲覧するウェブコンテンツを自動的にブックマークリストに登録するので、ユーザの操作が不要となり、使い勝手が向上する。
【発明の効果】
【００２６】
以上説明したように、本発明では、ネットワーク上に格納したブックマークリストを参照したウェブコンテンツの閲覧操作を少ない操作で容易に行うことができるという効果がある。
【発明を実施するための最良の形態】
【００２７】
以下、本発明の実施の形態を図面に基づいて説明する。
【００２８】
（実施形態１）
図１は、本実施形態の設備ブラウザシステムを組み込んだ住宅向け設備システムの構成を示しており、複数のコントローラ１（図１では２台のコントローラ１）と、１乃至複数台の表示器２（図１では３台の表示器２）と、パーソナルコンピュータからなるクライアント端末３とが、Ethernet（登録商標）を用いた宅内ネットワークＮＴ１に接続され、コントローラ１の各配下には、照明器具、空調器具、防犯器具、計測器具、電気錠等の設備機器４が接続されている。さらに、宅内ネットワークＮＴ１はホームゲートウェイ５を介してインターネットを構築するインターネットＮＴ２に接続され、宅内ネットワークＮＴ１上の各端末装置（コントローラ１、表示器２、クライアント端末３等）はホームゲートウェイ５を介してインターネットＮＴ２上のセンターサーバ６や、サーバ７（以後、センターサーバ６と区別するために一般サーバ７と称す）と通信を行うことができる。
【００２９】
そして、宅内ネットワークＮＴ１上の各端末装置（コントローラ１、表示装置２、クライアント端末３、ホームゲートウェイ５等）は端末識別情報（ＩＰアドレス）を割り付けられており、この端末識別情報を用いて互いに通信を行う。
【００３０】
ホームゲートウェイ５は、情報ブレーカを備えて宅内ネットワークＮＴ１に接続されるだけでなく、インターネットＮＴ２に接続される接続口を有する宅内サーバを構成し、インターネットＮＴ２に接続されたセンターサーバ６やサーバ７との間の通信と、宅内ネットワークＮＴ１を介した通信との両方の機能を備えて、宅内ネットワークＮＴ１とインターネットＮＴ２との間のプロトコル変換を行う。さらにホームゲートウェイ５は、各住宅に１台設置されることから、住宅向け設備システムを導入した各住宅を識別する住宅識別情報を予め保持している。
【００３１】
表示器２は、住宅向け設備システムの専用端末であり、ＣＰＵ等の制御部２ａと、宅内ネットワークＮＴ１との間で情報授受を行う通信部２ｂと、ＦＲＯＭ等の記憶部２ｃと、スピーカ等の音声出力部２ｄと、ＬＣＤからなりタッチパネル機能を有する表示画面２ｅと、操作部２ｆとで構成される。その外観は、図２に示すように、矩形函状の筐体２ｘに各部が収納され、筐体２ｘの前面に表示画面２ｅと、オン・オフ操作する２つの押ボタンＢ１，Ｂ２からなる操作部２ｆとが配置されている。そして、制御部２ａは、通信部２ａや操作部２ｆからの入力によって、音声出力部２ｄや表示画面２ｅへ音声信号や画像信号を出力する。
【００３２】
また、制御部２ａは、ウェブブラウザ２ｇを搭載しており、ウェブコンテンツ取得要求をセンターサーバ６や一般サーバ７へ送信することで、センターサーバ６や一般サーバ７からウェブコンテンツを取得して表示画面２ｅに表示する。記憶部２ｃには、表示器２の端末識別情報や、ウェブブラウザ２ｇのユーザエージェントや、表示画面２ｅに表示中のウェブコンテンツのＵＲＬを示す表示中ＵＲＬ情報や、後述するジャンプ先登録コンテンツのＵＲＬを示すジャンプ先コンテンツＵＲＬ情報が格納されている。
【００３３】
センターサーバ６は、情報記憶部６ａと、コンテンツ記憶部６ｂと、ブックマーク記憶部６ｃとで構成されている。情報記憶部６ａには、図３に示すように、住宅識別情報（ホームゲートウェイ５が予め保持している）と、各住宅内の端末構成情報（コントローラ１、表示器２、クライアント端末３等の端末識別情報）と、端末種別とを互いに対応させて、住宅の所在地情報とともに格納しており、どの住宅にどの端末識別情報を保持したコントローラ１、表示器２、クライアント端末３が設置されているかを把握している。（なお、複数のコントローラ１を区別する場合は、コントローラ１１，１２，．．．と記し、複数の表示器２を区別する場合は、表示器２１，２２，．．．と記す）。
【００３４】
コンテンツ記憶部６ｂには、表示器３が閲覧する様々な専用のウェブコンテンツを格納しており、宅内ネットワークＮＴ１上の表示器２やクライアント端末３にウェブコンテンツを提供するウェブサーバ機能を有している。コンテンツ記憶部６ｂ内のコンテンツとしては、センターサーバ６は、各住宅の宅内ネットワークＮＴ１上に存在する全端末装置を認識しており、これらの端末装置を表示器２やクライアント端末３から監視制御することができるウェブコンテンツがある。
【００３５】
さらにセンターサーバ６は、コンテンツ記憶部６ｂ内のウェブコンテンツとして、例えばお天気情報等のサービスを提供するものがある。このとき、センターサーバ６では、どの住宅のどの表示器２からウェブコンテンツ取得要求が送信されたかを、ウェブコンテンツ取得要求に付加された住宅識別情報や端末識別情報に基づいて判別し、各住宅に応じたウェブコンテンツ（例えば、お天気情報サービスであれば、住宅の所在地情報からその地域の天気予報結果を示すウェブコンテンツ）を提供する。
【００３６】
コンテンツ記憶部６ｂには、上記以外にも、表示器３に専用のウェブコンテンツとして後述するブックマーク登録用コンテンツや、ジャンプ先登録コンテンツが格納されている。
【００３７】
また、一般サーバ７は、ＵＲＬを割り付けられた各種ウェブコンテンツを格納しており、宅内ネットワークＮＴ１上の表示器２やクライアント端末３にウェブコンテンツを提供するウェブサーバ機能を有する。
【００３８】
コントローラ１は、ネットリモコンやネットアダプタ等で構成され、配下の設備機器４の監視制御を行っている。そして、表示器２やクライアント端末３が、センターサーバ６から監視制御用ウェブコンテンツを取得し、ネットワークＮＴ１を介して監視制御要求をコントローラ１へ送信すると、コントローラ１は、配下の設備機器４の各監視制御情報を、ホームゲートウェイ５、センターサーバ６経由で要求送信元の表示器２やクライアント端末３へ送信し、監視制御用ウェブコンテンツに監視結果や制御内容を表示する。
【００３９】
表示器２は、設備機器４の監視制御用ウェブコンテンツ等のようにセンターサーバ６に格納されたウェブコンテンツを閲覧するための専用の端末装置であるため、センターサーバ６へのアクセスは、オン・オフ操作する２つの押ボタンＢ１，Ｂ２を用いた操作で簡単に行うことができるように構成されている。しかし、一般サーバ７のウェブコンテンツを閲覧しようとしても、パーソナルコンピュータのようにキーボードやマウスを備えておらず、携帯電話のように多くの操作ボタンを備えているものではないので、所望のウェブコンテンツのＵＲＬ（Uniform Resource Locator）の入力や、検索フォームへの入力ができない。
【００４０】
そこで、表示器２において、オン・オフ操作する１つの押ボタンＢ１（画面遷移操作手段）を用いて、一般サーバ７のウェブコンテンツを閲覧する方法を以下に示す。
【００４１】
まず、クライアント端末３は、キーボードおよびマウスを備えたパーソナルコンピュータであり、センターサーバ６にアクセスして、ブックマーク登録用コンテンツを取得して表示する。このときセンターサーバ６は、アクセス時のパスワード認証等によって、どの住宅（住宅識別情報）に対応するブックマーク登録を行うかを認識する。ブックマーク登録用コンテンツは図４に示す構成であり、ユーザは、ＵＲＬ登録欄Ｘ１に所望のウェブコンテンツ（一般サーバ７のウェブコンテンツ）のＵＲＬをキーボードやマウスの操作で入力し、送信ボタンＸ２を押下することで、入力したＵＲＬの情報がセンターサーバ６へ送信される。センターサーバ６は、ブックマーク記憶部６ｃを備えており、ブックマーク記憶部６ｃでは、住宅識別情報毎にブックマークリストを格納している。センターサーバ６は、どの住宅識別情報に対応するブックマークリストに登録するかは、上記アクセス時の認証処理によって判っているので、クライアント端末３から受け取ったＵＲＬの情報をブックマーク記憶部６ｃ内の対応するブックマークリストに登録する。すなわち、住宅識別情報毎（住宅毎）に異なるブックマークリストを作成している。
【００４２】
ブックマークリストに登録されたＵＲＬは、図５に示すように、端末識別情報毎（表示器２毎）に優先度が設定されており、この優先度は、クライアント端末３の操作によって端末識別情報毎に任意の順番に設定できる。なお、この優先度は、図５に示すように各ＵＲＬに優先度を示す数字を対応させて表す方法以外に、ブックマークリスト内において各ＵＲＬが表記されている順序で表してもよい。
【００４３】
ブックマークリストに登録されたＵＲＬは、ブックマーク登録用コンテンツＣ１の登録済ＵＲＬ確認欄Ｘ３に反映され、登録済ＵＲＬ確認欄Ｘ３には、ブックマークリストに登録された全てのＵＲＬが表示される。また、ブックマークリスト内のＵＲＬに設定される優先順位は、初期設定では登録順に設定されており、その後、ブックマーク登録用コンテンツＣ１の優先度変更ボタンＸ４によって、端末識別情報毎（表示器２毎）に任意の順位に設定できる。なお、図４の登録済ＵＲＬ確認欄Ｘ３に示す優先度は、複数の表示器２のうちいずれか１台に対応する順位であり、クライアント端末３の操作によって他の表示器２の優先度を表示することもできる。
【００４４】
このようにして、センターサーバ６内のブックマークリストの登録処理は、パーソナルコンピュータからなるクライアント端末３によって行われ、表示器２では、センターサーバ６内のブックマークリストを利用して、一般サーバ７にアクセスする。
【００４５】
図６は、表示器２での画面遷移の処理フローであり、図７は、センターサーバ６での画面遷移の処理フローを各々示す。
【００４６】
まず、表示器２において、押ボタンＢ１を押下されると（Ｓ１）、制御部２ａは、ジャンプ先登録コンテンツのＵＲＬを示すジャンプ先コンテンツＵＲＬ情報を記憶部２ｃから読み出し（Ｓ２）、次に当該表示器２の端末識別情報およびユーザエージェントを記憶部２ｃから読み出してユーザエージェント内に端末識別情報を設定し（Ｓ３）、次に表示画面２ｅに現在表示中のウェブコンテンツのＵＲＬを示す表示中ＵＲＬ情報を記憶部２ｃから読み出す（Ｓ４）。そして、ジャンプ先登録コンテンツのＵＲＬに対して、端末識別情報を設定したユーザエージェントおよび表示中ＵＲＬ情報をパラメータとして付加したウェブコンテンツ取得要求を送信する（ＨＴＴＰのリクエストのＧＥＴに相当する）（Ｓ５）。この送信されたウェブコンテンツ取得要求は、ホームゲートウェイ５を通過する際に、住宅識別情報をさらに付加される。なお、表示器２からウェブコンテンツ取得要求がセンターサーバ６に到達する仕組みは、ＨＴＴＰやＷＷＷの一般的事項であるため説明は省略する。
【００４７】
センターサーバ６は、表示器２からウェブコンテンツ取得要求を受け取ると（Ｓ１１）、ウェブコンテンツ取得要求に付加されている住宅識別情報を取り出すとともに、付加されているユーザエージェントから端末識別情報を取り出し、当該住宅識別情報に対応するブックマークリストを、当該端末識別情報に対応する優先度とともにブックマーク記憶部６ｃから読み出す（Ｓ１２）。次に、ウェブコンテンツ取得要求に付加されている表示中ＵＲＬ情報を取り出し（Ｓ１３）、表示中ＵＲＬ情報のＵＲＬ（表示器２で現在表示中のウェブコンテンツのＵＲＬ）がブックマークリストにあるか否かを判定し（Ｓ１４）、表示中ＵＲＬ情報のＵＲＬ（以降、表示中ＵＲＬと称す）がブックマークリストにあれば、優先度が表示中ＵＲＬの次に設定されているＵＲＬをブックマークリストから読み出す（Ｓ１５）。そして、センターサーバ６は、Ｓ１５で読み出したＵＲＬを自動遷移先に設定したジャンプ先登録コンテンツを作成し（Ｓ１６）、作成したジャンプ先登録コンテンツを、ウェブコンテンツ取得要求の送信元の表示器２へ送信する（Ｓ１７）。
【００４８】
また、Ｓ１４において、表示中ＵＲＬがブックマークリストになければ、優先度が最も高いＵＲＬ（または優先度が最も低いＵＲＬ）をブックマークリストから読み出す（Ｓ１８）。そして、センターサーバ６は、Ｓ１８で読み出したＵＲＬを自動遷移先に設定したジャンプ先登録コンテンツを作成し（Ｓ１６）、作成したジャンプ先登録コンテンツを、ウェブコンテンツ取得要求の送信元の表示器２へ送信する（Ｓ１７）。
【００４９】
表示器２では、通信部２ｂを介してジャンプ先登録コンテンツを受信すると（Ｓ６）、ウェブブラウザ２ｇは、ジャンプ先登録コンテンツを表示画面２ｅに表示する（Ｓ７）。ジャンプ先登録コンテンツには自動遷移先に設定されたＵＲＬの情報が埋め込まれており（Ｓ８）、ジャンプ先登録コンテンツに設定されている自動遷移先のＵＲＬにウェブコンテンツ取得要求を送信することで、一般サーバ７から自動遷移先のＵＲＬのウェブコンテンツを取得し、表示画面２ｅに表示する（Ｓ９）。
【００５０】
このように、表示器２の押ボタンＢ１を押下するだけで、センターサーバ６に格納しているブックマーク内のＵＲＬのウェブコンテンツに画面遷移することができる。例えば、押ボタンＢ１を連続押下すれば、ブックマークリストの優先度の順に次々と画面遷移する。また、キーボードやマウスを備えていない端末装置であっても、ユーザに複雑な操作を強いることなく、所望のウェブコンテンツの画面に遷移することができる。
【００５１】
また、複数の表示器２を設けた場合でも、共通のブックマークを用いることができるとともに、表示器毎に（端末識別情報毎に）ブックマークリスト内のＵＲＬの優先度を独立して設定できるので、例えば、家族の父、母、姉、弟が、互いに異なる表示器２を使用すれば、各人の好みに応じた優先度を設定でき、画面遷移の回数が減って使い勝手が向上する。さらに、複数の表示器２を同時に操作しても、表示器２毎の優先度に応じたウェブコンテンツを各表示器２に表示できる。なお、ブックマークリスト内のＵＲＬの優先度を、表示器（端末識別情報）に関わらず共通としてもよい。
【００５２】
さらに、クライアント端末６によってセンターサーバ６のブックマークリスト内のＵＲＬを追加、削除すれば、住宅内の全ての表示器２が参照するブックマークリストを一括変更でき、各表示器２が個別にブックマークリストを変更する手間を省くことができる。
【００５３】
次に、表示器２からセンターサーバ６のブックマークリストにＵＲＬを登録する処理について、図８（ａ）（ｂ）を用いて説明する。なお、図８（ａ）は、表示器２でのブックマークリスト登録の処理フローであり、図８（ｂ）は、センターサーバ６でのブックマークリスト登録の処理フローを各々示す。
【００５４】
まず表示器２は、表示画面２ｅにウェブコンテンツを表示した状態で、表示画面２ｅのタッチパネル機能を用いてリンク先の他のウェブコンテンツに遷移することができる。このようにして、まだブックマークリストに登録されていないウェブコンテンツを表示しているときに、このウェブコンテンツをブックマークリストに登録する場合、表示器２の押ボタンＢ２（ブックマーク登録操作手段）を押下すると（Ｓ２１）、制御部２ａは、当該表示器２の端末識別情報およびユーザエージェントを記憶部２ｃから読み出してユーザエージェント内に端末識別情報を設定し、さらに表示中ＵＲＬ情報を記憶部２ｃから読み出す。そして、センターサーバ６に対して、端末識別情報を設定したユーザエージェントおよび表示中ＵＲＬ情報をパラメータとして付加したブックマーク登録要求を送信する（Ｓ２２）。この送信されたブックマーク登録要求は、ホームゲートウェイ５を通過する際に、住宅識別情報をさらに付加される。
【００５５】
センターサーバ６は、表示器２からブックマーク登録要求を受け取ると（Ｓ３１）、ブックマーク登録要求に付加されている住宅識別情報を取り出すとともに、付加されているユーザエージェントから端末識別情報を取り出し、当該住宅識別情報に対応するブックマークリストを、当該端末識別情報に対応する優先度とともにブックマーク記憶部６ｃから読み出す（Ｓ３２）。次に、ブックマーク登録要求に付加されている表示中ＵＲＬ情報を取り出し、表示中ＵＲＬを、Ｓ３２で読み出したブックマークリスト内で優先度の最後尾に追加する（Ｓ３３）。
【００５６】
このように、クライアント端末６を用いることなく、表示器２でもブックマーク登録を行うことができ、システムの使い勝手が向上している。また、表示器２によってセンターサーバ６のブックマークリスト内のＵＲＬを追加、削除すれば、住宅内の全ての表示器２が参照するブックマークリストを一括変更でき、各表示器２が個別にブックマークリストを変更する手間を省くことができる。
【００５７】
また、表示器２が上記ブックマーク登録要求をセンターサーバ６へ送信する処理としては、表示画面２ｅのタッチパネル機能を用いてリンク先の他のウェブコンテンツに遷移する度に、制御部２ａが当該リンク先の他のウェブコンテンツへの画面遷移回数をカウントアップし、この画面遷移回数が閾値を超えた場合に、ブックマーク登録要求を送信してもよい。
【００５８】
次に、表示器２からセンターサーバ６のブックマークリストにＵＲＬを登録する別の処理について、図９（ａ）（ｂ）を用いて説明する。なお、図９（ａ）は、表示器２でのブックマークリスト登録の処理フローであり、図９（ｂ）は、センターサーバ６でのブックマークリスト登録の処理フローを各々示す。
【００５９】
まず表示器２は、ブックマークリストに登録されたウェブコンテンツを表示した状態で、表示画面２ｅのタッチパネル機能を用いてリンク先の他のウェブコンテンツに遷移することができる。そして、表示器２の制御部２ａは、ウェブブラウザ２ｇによって表示画面２ｅに表示させるウェブコンテンツが遷移して、遷移先のウェブコンテンツが表示される毎に（Ｓ４１）、当該表示器２の端末識別情報およびユーザエージェントを記憶部２ｃから読み出してユーザエージェント内に端末識別情報を設定し、さらに表示中ＵＲＬ情報を記憶部２ｃから読み出す。そして、センターサーバ６に対して、端末識別情報を設定したユーザエージェントおよび表示中ＵＲＬ情報をパラメータとして付加した画面遷移通知を送信する（Ｓ４２）。この送信された画面遷移通知は、ホームゲートウェイ５を通過する際に、住宅識別情報をさらに付加される。
【００６０】
センターサーバ６は、表示器２から画面遷移通知を受け取ると（Ｓ５１）、画面遷移通知に付加されている住宅識別情報を取り出すとともに、付加されているユーザエージェントから端末識別情報を取り出し、当該住宅識別情報に対応するブックマークリストを、当該端末識別情報に対応する優先度とともにブックマーク記憶部６ｃから読み出す（Ｓ５２）。次に、画面遷移通知に付加されている表示中ＵＲＬ情報を取り出し（Ｓ５３）、読み出したブックマークリスト内に表示中ＵＲＬが既に登録されているか否かを判定する（Ｓ５４）。
【００６１】
ブックマークリスト内に表示中ＵＲＬが既に登録されておれば、処理を終了してＳ５１に戻る。ブックマークリスト内に表示中ＵＲＬが登録されていなければ、この表示中ＵＲＬを未登録ＵＲＬとして、この未登録ＵＲＬにおける画面遷移回数をカウントアップする（Ｓ５５）。そして、この未登録ＵＲＬにおける画面遷移回数を所定の閾値と比較し（Ｓ５６）、画面遷移回数が閾値を超えていなければ処理を終了してＳ５１に戻り、画面遷移回数が閾値を超えていれば、この未登録ＵＲＬを、ブックマークリスト内で優先度の最後尾に追加する（Ｓ５７）。
【００６２】
この処理方法では、よく閲覧するウェブコンテンツを自動的にブックマークリストに登録するので、ユーザの操作が不要となり、使い勝手が向上する。
【００６３】
（実施形態２）
本実施形態の設備ブラウザシステムを組み込んだ住宅向け設備システムは、実施形態１と略同様の構成を備えるが、表示器２の記憶部２ｃには、表示画面２ｅに表示中のウェブコンテンツのＵＲＬを示す表示中ＵＲＬ情報を格納しておらず、その代わりにセンターサーバ６に、図１０に示すサイクリック記憶部６ｄを設ける。なお、実施形態１と同様の構成には同一の符号を付して説明は省略する。
【００６４】
サイクリック記憶部６ｄには、図１１に示すように、各表示器２の端末識別情報と、サイクリック操作中ＵＲＬ情報と、ブックマークリストへのポインタ情報とを互いに対応させて格納している。サイクリック操作中ＵＲＬ情報は、各表示器２でサイクリック操作によって現在表示中のウェブページのＵＲＬを示す。また、ブックマーク記憶部６ｃでは、端末識別情報毎（表示器２毎）にブックマークリストを格納しており、ブックマークリストへのポインタ情報は、各住宅識別情報に対応するブックマークリストを示している。なお、サイクリック操作とは、図５に示すブックマークリストに登録しているＵＲＬをその優先度の順に遷移させて表示器２にサイクリックに表示させる操作であり、優先度は、端末識別情報毎（表示器２毎）に設定されている。
【００６５】
図１２は、表示器２での画面遷移の処理フローであり、図１３は、センターサーバ６での画面遷移の処理フローを各々示す。
【００６６】
まず、表示器２において、押ボタンＢ１を押下されると（Ｓ６１）、制御部２ａは、ジャンプ先登録コンテンツのＵＲＬを示すジャンプ先コンテンツＵＲＬ情報を記憶部２ｃから読み出し（Ｓ６２）、次に当該表示器２の端末識別情報およびユーザエージェントを記憶部２ｃから読み出してユーザエージェント内に端末識別情報を設定する（Ｓ６３）。そして、ジャンプ先登録コンテンツのＵＲＬに対して、端末識別情報を設定したユーザエージェントをパラメータとして付加したウェブコンテンツ取得要求を送信する（ＨＴＴＰのリクエストのＧＥＴに相当する）（Ｓ６４）。この送信されたウェブコンテンツ取得要求は、ホームゲートウェイ５を通過する際に、住宅識別情報をさらに付加される。なお、表示器２からウェブコンテンツ取得要求がセンターサーバ６に到達する仕組みは、ＨＴＴＰやＷＷＷの一般的事項であるため説明は省略する。
【００６７】
センターサーバ６は、表示器２からウェブコンテンツ取得要求を受け取ると（Ｓ８１）、ウェブコンテンツ取得要求に付加されている住宅識別情報を取り出すとともに、付加されているユーザエージェントから端末識別情報を取り出し、当該住宅識別情報に対応するブックマークリストを、当該端末識別情報に対応する優先度とともにブックマーク記憶部６ｃから読み出すとともに、当該端末識別情報に対応するサイクリック操作中ＵＲＬ情報をサイクリック記憶部６ｄから読み出す（Ｓ８２）。
【００６８】
そして、読みだしたサイクリック操作中ＵＲＬ情報にサイクリック操作中ＵＲＬが設定されているか否かを判定する（Ｓ８３）。読みだしたサイクリック操作中ＵＲＬ情報にサイクリック操作中ＵＲＬが設定されていなければ、これからサイクリック操作を開始するとして、優先度が最も高いＵＲＬ（または優先度が最も低いＵＲＬ）をブックマークリストから読み出す（Ｓ８８）。そして、センターサーバ６は、Ｓ８８で読みだしたＵＲＬをサイクリック操作中ＵＲＬ情報に設定し（Ｓ８５）、さらにＳ８８で読み出したＵＲＬを自動遷移先に設定したジャンプ先登録コンテンツを作成して（Ｓ８６）、作成したジャンプ先登録コンテンツを、ウェブコンテンツ取得要求の送信元の表示器２へ送信する（Ｓ８７）。
【００６９】
また、Ｓ８３において、読みだしたサイクリック操作中ＵＲＬ情報にサイクリック操作中ＵＲＬが設定されておれば、サイクリック操作中であるとして、当該設定されているサイクリック操作中ＵＲＬ情報の次に優先度が設定されているＵＲＬをブックマークリストから読み出す（Ｓ８４）。そして、センターサーバ６は、Ｓ８４で読みだしたＵＲＬをサイクリック操作中ＵＲＬ情報に設定し（Ｓ８５）、さらにＳ８８で読み出したＵＲＬを自動遷移先に設定したジャンプ先登録コンテンツを作成して（Ｓ８６）、作成したジャンプ先登録コンテンツを、ウェブコンテンツ取得要求の送信元の表示器２へ送信する（Ｓ８７）。
【００７０】
表示器２では、表示画面２ｅにウェブコンテンツを表示した状態で、表示画面２ｅのタッチパネル機能を用いてリンク先の他のウェブコンテンツに遷移することができ、このタッチパネル機能を用いてリンク先の他のウェブコンテンツに遷移する操作が行われたか否かを監視しており（Ｓ６５）、タッチパネル機能を用いた画面遷移操作が行われていない状態で、通信部２ｂを介してジャンプ先登録コンテンツを受信すると（Ｓ６６）、ウェブブラウザ２ｇは、ジャンプ先登録コンテンツを表示画面２ｅに表示する（Ｓ６７）。ジャンプ先登録コンテンツには自動遷移先に設定されたＵＲＬの情報が埋め込まれており（Ｓ６８）、ジャンプ先登録コンテンツに設定されている自動遷移先のＵＲＬにウェブコンテンツ取得要求を送信することで、一般サーバ７から自動遷移先のＵＲＬのウェブコンテンツを取得し、表示画面２ｅに表示する（Ｓ６９）。
【００７１】
このように、表示器２の押ボタンＢ１を押下するだけで、センターサーバ６に格納しているブックマーク内のＵＲＬのウェブコンテンツに画面遷移することができる。例えば、押ボタンＢ１を連続押下すれば、ブックマークリストの優先度の順に次々と画面遷移する。また、キーボードやマウスを備えていない端末装置であっても、ユーザに複雑な操作を強いることなく、所望のウェブコンテンツの画面に遷移することができる。
【００７２】
さらに、サイクリック操作をしていない時に（サイクリック操作中ＵＲＬ情報にサイクリック操作中ＵＲＬが設定されていない時に）、押ボタンＢ１を押下すると、必ずブックマークリストの中で最も優先度の高いウェブコンテンツを表示するので、ユーザにとってわかりやすく、操作に混乱を招くことがない。
【００７３】
また、複数の表示器２を設けた場合でも、共通のブックマークを用いることができるとともに、表示器毎に（端末識別情報毎に）ブックマークリスト内のＵＲＬの優先度を独立して設定できるので、例えば、家族の父、母、姉、弟が、互いに異なる表示器２を使用すれば、各人の好みに応じた優先度を設定でき、画面遷移の回数が減って使い勝手が向上する。さらに、複数の表示器２を同時に操作しても、表示器２毎の優先度に応じたウェブコンテンツを各表示器２に表示できる。なお、ブックマークリスト内のＵＲＬの優先度を、表示器（端末識別情報）に関わらず共通としてもよい。
【００７４】
さらに、クライアント端末６によってセンターサーバ６のブックマークリスト内のＵＲＬを追加、削除すれば、住宅内の全ての表示器２が参照するブックマークリストを一括変更でき、各表示器２が個別にブックマークリストを変更する手間を省くことができる。
【００７５】
また表示器２は、Ｓ６５において表示画面２ｅのタッチパネル機能を用いた画面遷移操作が行われた場合、端末識別情報を設定したユーザエージェントをパラメータとして付加したサイクリック操作終了通知をセンターサーバ６へ送信する（Ｓ７０）。
【００７６】
センターサーバ６は、表示器２からサイクリック操作終了通知を受け取ると（Ｓ８９）、サイクリック操作終了通知に付加されているユーザエージェントから端末識別情報を取り出し、当該端末識別情報に対応するサイクリック操作中ＵＲＬ情報をサイクリック記憶部６ｄから読み出す（Ｓ９０）。そして、読み出したサイクリック操作中ＵＲＬ情報を「設定無し」に変更して、サイクリック操作を終了する（Ｓ９１）。
【００７７】
なお、サイクリック操作終了通知は、表示器２の無操作期間が所定期間を超えた場合や、表示器２の電源起動時や、表示画面２ｅの消灯操作等のように、サイクリック処理が終了したと判断できるタイミングで、表示器２からセンターサーバ６へ送信される。
【００７８】
このように、各表示器２におけるサイクリック操作の終了がセンターサーバ６側で認識でき、サイクリック操作の終了を認識したセンターサーバ６は、当該表示器２のサイクリック操作中ＵＲＬ情報を「設定無し」に変更し、表示器２において、再び押ボタンＢ１が押下された場合に、改めてブックマークリストの中で最も優先度の高いウェブコンテンツから表示させるようにしている。したがって、表示器２の次の操作時に、数時間、数日前に行ったサイクリック操作の続きから画面表示することなく、ユーザが混乱することを防止できる。
【００７９】
また、実施形態１，２では、センターサーバ６のブックマーク記憶部６ｃは、住宅識別情報毎にブックマークリストを格納しているが、端末識別情報毎（表示器２毎）にブックマークリストを格納してもよい。この場合、センターサーバ６は、ウェブコンテンツ取得要求や、ブックマーク登録要求等の各要求に付加された端末識別情報に基づいて、該当する表示器２のブックマークリストを読み出して、各処理を行う。
【００８０】
また、一般サーバ７のウェブコンテンツを閲覧するための画面遷移操作手段として、オン・オフ操作する１つの押ボタンＢ１を用いているが、画面遷移操作手段は、オン・オフ操作のように２つの状態を切り替える１つのトグルスイッチ、ロータリスイッチ等の他の手段であってもよい。
【図面の簡単な説明】
【００８１】
【図１】実施形態１のシステム構成を示す図である。
【図２】同上の表示器の外観を示す図である。
【図３】同上のセンターサーバの情報記憶部のデータ構造を示す図である。
【図４】同上のブックマーク登録用コンテンツを示す図である。
【図５】同上のブックマークリストを示す図である。
【図６】同上の表示器における画面遷移の処理フローを示す図である。
【図７】同上のセンターサーバにおける画面遷移の処理フローを示す図である。
【図８】（ａ）（ｂ）同上のブックマーク登録の処理フローを示す図である。
【図９】（ａ）（ｂ）同上のブックマーク登録の別の処理フローを示す図である。
【図１０】実施形態２のセンターサーバの構成を示す図である。
【図１１】同上のセンターサーバのサイクリック記憶部のデータ構造を示す図である。
【図１２】同上の表示器における画面遷移の処理フローを示す図である。
【図１３】同上のセンターサーバにおける画面遷移の処理フローを示す図である。
【符号の説明】
【００８２】
２  表示器
２ａ  制御部
２ｂ  通信部
２ｃ  記憶部
２ｄ  音声出力部
２ｅ  表示画面
２ｆ  操作部
２ｇ  ウェブブラウザ
Ｂ１  押ボタン
３  クライアント端末
６  センターサーバ
６ａ  情報記憶部
６ｂ  コンテンツ記憶部
６ｃ  ブックマーク記憶部
７  一般サーバ
ＮＴ１  宅内ネットワーク
ＮＴ２  インターネット
【図１】
2010097498.tif 000003
【図２】
2010097498.tif 000004
【図３】
2010097498.tif 000005
【図４】
2010097498.tif 000006
【図５】
2010097498.tif 000007
【図６】
2010097498.tif 000008
【図７】
2010097498.tif 000009
【図８】
2010097498.tif 000010
【図９】
2010097498.tif 000011
【図１０】
2010097498.tif 000012
【図１１】
2010097498.tif 000013
【図１２】
2010097498.tif 000014
【図１３】
2010097498.tif 000015